(57)【特許請求の範囲】
【請求項１】
浴槽の壁面に、浴槽内に噴流を噴出する噴流ノズルを設けた浴槽において、
前記噴流ノズルの下方位置の、入浴者の背中側に所定距離隔てた位置に、この噴流ノズルと足を伸ばした入浴者の足裏とが一定の距離を隔てるように、足を延ばした入浴者の足の踵部分が引っ掛かることで、踵部分の前方移動を規制する凹状の保持部を設けたことを特徴とする浴槽。
【請求項２】
前記噴流ノズルは、上下方向にスイングするスイング式であることを特徴とする請求項１に記載の浴槽。
【発明の詳細な説明】
【技術分野】
【０００１】
本発明は、浴槽内に噴流を噴出する噴流ノズルを設けた浴槽に関する。
【背景技術】
【０００２】
従来、浴槽内に噴流を噴出する噴流ノズルを設けた気泡（バブル）浴槽またはジェット水流浴槽が提案されている。
【０００３】
また、足裏のマッサージも可能なように、浴槽内に沈めて使用する浴中気泡発生装置も提案されている（特許文献１参照）。
【０００４】
ところで、浴槽の壁面に、浴槽内に噴流を噴出する噴流ノズルを設けた浴槽においては、足を伸ばした入浴者が足裏を噴流ノズルに向けて、足裏に噴流を当てるようにすることも行われている。
【特許文献１】特開平１０−１５１０８５号公報
【発明の開示】
【発明が解決しようとする課題】
【０００５】
しかしながら、足を伸ばした入浴者が足を浮かしながら足裏を噴流ノズルに向ける入浴姿勢を取っても、噴流ノズルと入浴者の足裏とが一定の距離を隔てるように保ち続けることが困難であることから、効果的に足裏に噴流を当てることができないという問題があった。また、浴槽の大きさや入浴者の身長等のバランスが合わない場合には、入浴姿勢が不安定になったり、噴流で足が押し流されるという問題もあった。
【０００６】
本発明は、前記問題を解消するためになされたもので、噴流ノズルと入浴者の足裏とが一定の距離を隔てるように保ち続けることが簡単に行えるとともに、入浴姿勢が安定し、噴流で足が押し流されることも無い浴槽を提供することを目的とするものである。
【課題を解決するための手段】
【０００７】
前記課題を解決するために、本発明は、浴槽の壁面に、浴槽内に噴流を噴出する噴流ノズルを設けた浴槽において、前記噴流ノズルの下方位置の、入浴者の背中側に所定距離隔てた位置に、この噴流ノズルと足を伸ばした入浴者の足裏とが一定の距離を隔てるように、足を延ばした入浴者の足の踵部分が引っ掛かることで、踵部分の前方移動を規制する凹状の保持部を設けたことを特徴とする浴槽を提供するものである。
【００１０】
効果的に足裏に噴流を当てるために、前記噴流ノズルは、上下方向にスイングするスイング式である構成とすることができる。
【発明の効果】
【００１１】
本発明によれば、浴槽内の噴流ノズルの下方位置の、入浴者の背中側に所定距離隔てた位置に、この噴流ノズルと足を伸ばした入浴者の足裏とが一定の距離を隔てるように、足を伸ばした入浴者の足の踵部分が引っ掛かることで、踵部分の前方移動を規制する凹状の保持部を設けたから、入浴者は足の踵部分を凹状の保持部に引っ掛けることで、噴流ノズルと足裏とが一定の距離を隔てるように保ち続けることが簡単に行えるようになるので、効果的に足裏に噴流を当てることができるようになる。
【発明を実施するための最良の形態】
【００１２】
以下、本発明を実施するための最良の形態について、図面を参照しながら詳細に説明する。
【００１３】
図１（ａ）は、第１参考例の浴槽１Ａの側面断面図であり、入浴者Ｍは、浴槽１Ａの長さ方向の一側の壁面（図では右壁面）１ａに背中を向け、他側の壁面（図では左壁面）１ｂの方向に足を伸ばして入浴するものである。
【００１４】
浴槽１Ａの他側の壁面１ｂには、浴槽１Ａの深さ方向のほぼ中段位置に、浴槽１Ａ内に噴流ａを噴出する噴流ノズル２が設けられている。この噴流ノズル２は、気泡（バブル）を噴出するタイプ、ジェット水流を噴出するタイプ、あるいは、気泡を含むジェット水流を噴出するタイプのいずれであっても良い。
【００１５】
浴槽１Ａの他側の壁面１ｂにおける噴流ノズル２の付近、例えば噴流ノズル２の下方位置には、足を伸ばした入浴者Ｍが足を浮かしながら踵部分を載せることで保持可能な保持部３を設けている。保持部３は、片足を載せる幅であっても、両足を載せる幅であっても良い。
【００１６】
この保持部３で足を保持することで、噴流ノズル２と足裏とが一定の距離Ｗを隔てられるようになる。ここで、距離Ｗは、５〜１２ｃｍ程度が好ましく、この距離Ｗであれば、足裏全体に噴流ノズル２からの噴流ａを当てることができる。距離Ｗが近すぎると、足裏全体に噴流ａを当てることができず、距離Ｗが遠すぎると、足裏に当たる噴流ａの強さが減衰するので、いずれの場合も入浴者が噴流を快適に感じる効果が小さくなる。
【００１７】
第１参考例の浴槽１Ａであれば、浴槽１Ａ内の噴流ノズル２の付近に、足を伸ばした入浴者Ｍの足を保持する保持部３を設けたから、入浴者Ｍは浮かした足を保持部３で保持することで、噴流ノズル２と足裏とが一定の距離Ｗを隔てるように保ち続けることが簡単に行えるようになるので、効果的に足裏に噴流ａを当てることができるようになる。
【００１８】
また、浴槽１Ａの大きさや入浴者Ｍの身長等のバランスが合わない場合であっても、保持部３で足を保持できるから、入浴姿勢が安定し、噴流ａで足が押し流されることも無くなる。
【００１９】
図１（ｂ）は、第１実施形態の浴槽１Ａの側面断面図であり、保持部３の上面には、足の踵部分の前方移動を規制する凹段部３ａを形成するとともに、噴流ノズル２の上方位置の浴槽１Ａの壁面１ｂには、足の爪先部分の前方移動を規制する突起部３ｂを形成している。なお、保持部３の上面に凹段部３ａを形成するだけであっても良い。
【００２０】
第１実施形態の浴槽１Ａであれば、凹段部３ａに足の踵部分が引っ掛かるように足を伸ばし、かつ突起部３ｂに足の爪先部分が当たるように爪先部分を前に倒すことで、噴流ノズル２と足裏とが一定の距離Ｗを隔てるように保ち続けることが確実に行えるようになる。
【００２１】
第１実施形態において、保持部３は、浴槽１Ａの壁面１ｂに一体形成しても良く、あるいは、別体の保持部３を壁面１ｂと底面１ｃとのコーナー部に取り付けたり、着脱可能に置くようにしても良い。第１実施形態の変形例において、突起部３ｂは、同様に、浴槽１Ａの壁面１ｂに一体形成しても良く、あるいは、別体の突起部３ｂを壁面１ｂに取り付けたり、保持部３に一体形成することもできる。
【００２２】
図２（ａ）は、第２実施形態の浴槽１Ｂの側面断面図であり、第１実施形態と相違するのは、保持部３は、浴槽１Ｂの底面１ｃに形成した凹部である点、噴流ノズル２は、浴槽１Ｂの他側の壁面１ｂのほぼ下段位置に設けた点である。
【００２３】
この保持部（凹部）３は、足の踵部分の曲線に沿っていることが好ましく、その深さは、１０〜１５ｍｍ程度が好ましい。保持部（凹部）３が浅過ぎると、足の踵部分を安定に入れることができず、保持部（凹部）３が深過ぎると、入浴者Ｍの足の大きさによって、窮屈に感じたり、拘束感を感じて不快になる場合がある。
【００２４】
第２実施形態の浴槽１Ｂであれば、入浴者Ｍが保持部（凹部）３に足の踵部分を入れることで足を浮かす必要が無くなるので、入浴姿勢がより安定するようになる。
【００２５】
図２（ｂ）は、第２参考例の浴槽１Ｃの側面断面図であり、第１実施形態と相違するのは、保持部３は、浴槽１Ｃの底面１ｃに形成した凸部である点である。
【００２６】
この保持部（凸部）３は、足の足首部分を掛ける（載せる）形状が好ましく、その高さは１０ｍｍ以上が好ましい。保持部（凸部）３が低過ぎると、効果的に足裏に噴流ａを当てることができない。なお、保持部（凸部）３は、不使用時には浴槽１Ｃの底面１ｃに沿って倒せるように、ヒンジ式にすることが可能である。
【００２７】
第２参考例の浴槽１Ｃであれば、入浴者Ｍが保持部（凸部）３に足の足首部分を掛ける（換言すれば、足首部分を下から支える。）ことで、足を浮かしても入浴姿勢がより安定するようになる。
【００２８】
図３（ａ）は、第３実施形態の浴槽１Ｄの側面断面図であり、第１実施形態と相違するのは、噴流ノズル２は、上下方向にスイングするスイング式であり、そのスイング範囲（角度θ）内に足裏のほぼ全体が位置するように保持部３の高さを設定している点である。
【００２９】
第３実施形態の浴槽１Ｄであれば、スイング式の噴流ノズル２であっても、図３（ｂ）に拡大して示すように、スイング範囲（角度θ）内に入浴者Ｍの足裏のほぼ全体が位置するような高さの保持部３であるから、効果的に足裏に噴流ａを当てることができるようになる。特に、スイング式噴流ノズルの場合、スイング範囲内に足裏のほぼ全体が位置するから、噴流を足裏全体に亘って当てることができるので、マッサージ感を向上させることができる。因みに、図３（ｃ）は、スイング範囲（角度θ）内に入浴者Ｍの足裏のほぼ全体が位置しないように、保持部３の高さを低く設定した比較例であり、効果的に足裏に噴流ａを当てることができないことが分かる。
【図面の簡単な説明】
【００３０】
【図１】（ａ）は、本発明の第１参考例の浴槽の側面断面図、（ｂ）は、第１実施形態の浴槽の側面断面図である。
【図２】（ａ）は、第２実施形態の浴槽の側面断面図、（ｂ）は、第２参考例の浴槽の側面断面図である。
【図３】（ａ）は、第３実施形態の浴槽の側面断面図、（ｂ）は、（ａ）の要部拡大図、（ｃ）は比較例の要部拡大図である。
【符号の説明】
【００３１】
１Ａ〜１Ｄ  浴槽
１ａ  一側の壁面
１ｂ  他側の壁面
１ｃ  底面
２    噴流ノズル
３    保持部
Ｍ    入浴者
Ｗ    距離
ａ    噴流
θ    スイング範囲（角度）
【図１】
0004752593.tif 000002
【図２】
0004752593.tif 000003
【図３】
0004752593.tif 000004